(57)【要約】【課題】装置全体の小型化を図りつつ操作部の視認性及び操作性の低下を防止できるようにする。【解決手段】画像形成装置１０は、用紙排出トレイ７０、及び操作部８０を備える。用紙排出トレイ７０には、画像形成処理後の用紙が排出される。操作部８０は、表示部及び入力操作部を含む。操作部８０は、少なくとも一部が用紙排出トレイ７０の用紙排出領域７１内に位置するホーム位置と、用紙排出領域７１内から退避した退避位置との間で移動自在に構成される。【選択図】図２
2014002227.tif 000002
【特許請求の範囲】
【請求項１】
シートに処理を施す処理部と、
前記処理部における処理前のシートが収容されるシート収容部と、
前記処理部における処理後のシートが排出されるシート排出部と、
前記処理部の制御に関する情報を表示する表示部及び前記処理部の制御に関する情報の入力操作を受け付ける入力操作部を含む操作部と、を備え、
前記操作部は、少なくとも一部が前記シート排出部のシート排出領域内に位置するホーム位置と、前記シート排出領域内から退避した退避位置との間で移動自在に構成される、シート処理装置。
【請求項２】
前記操作部は、
前記ホーム位置では、前記シート排出部の上面の一部を形成する平置姿勢を呈し、
前記退避位置では、前記シート排出部の上面に対して起立した起立姿勢を呈する、請求項１に記載のシート処理装置。
【請求項３】
前記操作部を前記ホーム位置と前記退避位置とに移動させる駆動源と、
前記シート排出部へ排出されるシートのサイズに基づいて前記駆動源を制御する制御部と、をさらに備える請求項１又は２に記載のシート処理装置。
【請求項４】
前記シート収容部に収容されたシートのサイズを検出するシートサイズ検出部をさらに備え、
前記制御部は、前記シートサイズ検出部の検出結果に基づいて前記シート排出部へ排出されるシートのサイズを判定する、請求項３に記載のシート処理装置。
【請求項５】
請求項３に記載のシート処理装置と、
原稿の画像読取処理を行って画像データを生成するスキャナ部と、
画像読取処理前の原稿が載置される原稿載置部と、
画像読取処理後の原稿が排出される原稿排出部と、を備え、
前記処理部は、画像データに基づいてシートに画像形成処理する画像形成部である、画像形成装置。
【請求項６】
前記制御部は、前記スキャナ部が生成した画像データに基づいて前記画像形成部がシートに画像形成処理する複写モードの実行時に、原稿のサイズに対する画像を形成するシートのサイズの変倍率及び前記スキャナ部が生成した画像データに基づいて前記シート排出部へ排出されるシートのサイズを判定する、請求項５に記載の画像形成装置。
【請求項７】
前記原稿載置部に載置された原稿のサイズを検出する原稿サイズ検出部をさらに備え、
前記制御部は、前記スキャナ部が生成した画像データに基づいて前記画像形成部がシートに画像形成処理する複写モードの実行時に、原稿のサイズに対する画像を形成するシートのサイズの変倍率及び前記原稿サイズ検出部の検出結果に基づいて前記シート排出部へ排出されるシートのサイズを判定する、請求項５に記載の画像形成装置。
【請求項８】
前記制御部は、外部機器から入力した画像形成指示データに基づいて前記画像形成部がシートに画像形成処理するプリントモードの実行時に、画像形成指示データに基づいて前記シート排出部へ排出されるシートのサイズを判定する、請求項５に記載の画像形成装置。
【発明の詳細な説明】
【技術分野】
【０００１】
この発明は、操作部を備えてシートに処理を施すシート処理装置及びこれを備える画像形成装置に関する。
【背景技術】
【０００２】
画像読取装置及び画像形成装置等のシート処理装置の中には、表示部及び入力操作部を含む操作部を備えるものがあり、このようなシート処理装置の中には、操作部の視認性及び操作性を高めるために、操作部を装置本体の上面であって手前側に突出するように備えるものがあった。しかし、操作部が装置本体から突出したのでは、シート処理装置が大型化してしまう。
【０００３】
そこで、入力操作部の一部をシート排出領域内に備えることで、装置全体の大型化を抑制しつつ入力操作部の面積の大型化を図る一方、表示部をシート排出領域外に備えることで、排出されたシートで表示部が覆われることによる表示部の視認性の低下の防止を図るシート処理装置が知られている（例えば、特許文献１参照。）。
【先行技術文献】
【特許文献】
【０００４】
【特許文献１】特開２００４−３３４０３５号公報
【発明の概要】
【発明が解決しようとする課題】
【０００５】
しかし、特許文献１に記載の従来のシート処理装置では、表示部の視認性は確保できるものの、入力操作部の一部はシート排出領域内に配置されるので、排出されたシートによって入力操作部の一部が覆われることがあり、入力操作部の操作性が低下する。
【０００６】
この発明の目的は、装置全体の小型化を図りつつ操作部の視認性及び操作性の低下を防止できるシート処理装置及びこれを備える画像形成装置を提供することにある。
【課題を解決するための手段】
【０００７】
この発明のシート処理装置は、処理部、シート収容部、シート排出部、及び操作部を備える。処理部は、シートに処理を施す。シート収容部には、処理部における処理前のシートが収容される。シート排出部には、処理部における処理後のシートが排出される。操作部は、処理部の制御に関する情報を表示する表示部及び処理部の制御に関する情報の入力操作を受け付ける入力操作部を含む。操作部は、少なくとも一部がシート排出部のシート排出領域内に位置するホーム位置と、シート排出領域内から退避した退避位置との間で移動自在に構成される。
【０００８】
この構成では、シート排出部へシートが排出されないとき、及びホーム位置に配置された操作部と衝突及び重複しないサイズのシートがシート排出部へ排出されるときには、操作部をホーム位置に配置することで、操作部の少なくとも一部がシート排出部のシート排出領域内に位置するので、シート処理装置全体の小型化を図ることができる。一方、ホーム位置に配置された操作部と衝突又は重複しそうなサイズのシートがシート排出部へ排出されるときには、操作部を退避位置へ移動させることで、操作部とシートとの衝突及びシートによって操作部が覆われることが防止される。このため、シート排出部へシートを円滑に排出できるとともに、操作部の視認性及び操作性の低下を防止できる。
【０００９】
上述の構成において、操作部は、ホーム位置では、シート排出部の上面の一部を形成する平置姿勢を呈し、退避位置では、シート排出部の上面に対して起立した起立姿勢を呈するように構成することができる。
【００１０】
この構成では、操作部がホーム位置において平置姿勢を呈することで上方からの視認性が向上する。また、操作部がホーム位置に配置されたままの状態でシート排出部へシートが排出された場合でもシートの搬送不良が防止される。一方、操作部が退避位置へ移動した際に起立姿勢を呈することで、装置本体からの突出量を抑えながら操作部をシート排出領域内から退避させることができる。
【００１１】
また、操作部をホーム位置と退避位置とに移動させる駆動源と、シート排出部へ排出されるシートのサイズに基づいて駆動源を制御する制御部と、をさらに備えるように構成することができる。
【００１２】
この構成では、シート排出部へシートが排出されないとき、及びホーム位置に配置された操作部と衝突及び重複しないサイズのシートがシート排出部へ排出されるときには、操作部をホーム位置に配置することで、操作部の少なくとも一部がシート排出部のシート排出領域内に位置されるので、シート処理装置全体の小型化を図ることができる。一方、ホーム位置に配置された操作部と衝突又は重複しそうなサイズのシートがシート排出部へ排出されるときには、操作部を退避位置へ移動させることで、操作部とシートとの衝突及びシートによって操作部が覆われることが防止される。このため、シート排出部へシートを円滑に排出できるとともに、操作部の視認性及び操作性の低下を防止できる。
【００１３】
さらに、シート収容部に収容されたシートのサイズを検出するシートサイズ検出部をさらに備え、制御部は、シートサイズ検出部の検出結果に基づいてシート排出部へ排出されるシートのサイズを判定するように構成することができる。
【００１４】
この構成では、シート収容部に収容されたシートのサイズの検出結果に基づいて、処理部による処理の実行前に、操作部を移動させることができる。このため、駆動源として駆動速度が低いものを用いた場合でも、シート排出部へシートが排出される前に操作部の移動を完了させることができる。したがって、操作部とシートとの衝突及び重複並びに操作部の視認性及び操作性の低下を、より確実に防止することができる。
【００１５】
この発明の画像形成装置は、上述の駆動源及び制御部を備える構成のシート処理装置と、原稿の画像読取処理を行って画像データを生成するスキャナ部と、画像読取処理前の原稿が載置される原稿載置部と、画像読取処理後の原稿が排出される原稿排出部と、を備え、処理部は、画像データに基づいてシートに画像形成処理する画像形成部である。
【００１６】
この構成では、操作部は、画像形成処理されたシートが排出されるシート排出部に設けられて、ホーム位置と退避位置とに移動する。シート排出部へ排出されるシートのサイズに基づいて操作部を移動させることで、画像形成処理されたシートと操作部との衝突及び重複を防止できる。
【００１７】
上述の画像形成装置の構成において、制御部は、スキャナ部が生成した画像データに基づいて画像形成部がシートに画像形成処理する複写モードの実行時に、原稿のサイズに対する画像を形成するシートのサイズの変倍率及びスキャナ部が生成した画像データに基づいてシート排出部へ排出されるシートのサイズを判定するように構成することができる。
【００１８】
この構成では、変倍率及び画像データのサイズに基づいて、画像形成部による画像形成処理の実行前に、操作部を移動させることができる。このため、駆動源として駆動速度が低いものを用いた場合でも、シート排出部へシートが排出される前に操作部の移動を完了させることができる。したがって、操作部とシートとの衝突及び重複並びに操作部の視認性及び操作性の低下を、より確実に防止することができる。
【００１９】
また、原稿載置部に載置された原稿のサイズを検出する原稿サイズ検出部をさらに備え、制御部は、スキャナ部が生成した画像データに基づいて画像形成部がシートに画像形成処理する複写モードの実行時に、原稿のサイズに対する画像を形成するシートのサイズの変倍率及び原稿サイズ検出部の検出結果に基づいてシート排出部へ排出されるシートのサイズを判定するように構成することができる。
【００２０】
この構成では、変倍率及び原稿のサイズの検出結果に基づいて、画像形成部による画像形成処理の実行前に、操作部を移動させることができる。
【００２１】
さらに、制御部は、外部機器から入力した画像形成指示データに基づいて画像形成部がシートに画像形成処理するプリントモードの実行時に、画像形成指示データに基づいてシート排出部へ排出されるシートのサイズを判定するように構成することができる。
【００２２】
この構成では、画像形成処理するシートのサイズを指定する情報を画像形成指示データが含んでいるので、画像形成指示データに基づいて、操作部を移動させることができる。
【発明の効果】
【００２３】
この発明によれば、装置全体の小型化を図りつつ操作部の視認性及び操作性の低下を防止することができる。
【図面の簡単な説明】
【００２４】
【図１】この発明のシート処理装置の実施形態に係る画像形成装置の概略の構成を示す図である。
【図２】（Ａ）は用紙排出トレイの平面図であり、（Ｂ）は（Ａ）の断面図である。
【図３】画像形成装置の構成を示すブロック図である。
【図４】制御部の処理手順の一例を示すフローチャートである。
【図５】（Ａ）は閾値サイズ以上のシートが排出された状態の用紙排出トレイの平面図であり、（Ｂ）は（Ａ）の断面図である。
【図６】（Ａ）は閾値サイズ未満のシートが排出された状態の用紙排出トレイの平面図であり、（Ｂ）は（Ａ）の断面図である。
【図７】操作部が原稿排出トレイに配置された構成例における制御部の処理手順の一例を示すフローチャートである。
【発明を実施するための形態】
【００２５】
以下に、この発明の実施形態に係る画像形成装置１０について、図面を用いて説明する。画像形成装置１０は、シート処理装置の一例である。シート処理装置の他の例として、画像読取装置を挙げることができる。
【００２６】
図１に示すように、画像形成装置１０は、自動原稿搬送装置（ＡＤＦ：AutoDocument Feeder）２０及びスキャナ部３０を含む画像読取部４０、画像形成部５０、給紙部６０、並びに用紙排出トレイ７０を備えている。
【００２７】
ＡＤＦ２０は、原稿載置トレイ２１、原稿排出トレイ２２、及び原稿搬送路２３を備えている。原稿載置トレイ２１には、画像読取処理前の原稿が載置される。原稿排出トレイ２２には、画像読取処理後の原稿が排出される。原稿搬送路２３は、原稿載置トレイ２１から原稿排出トレイ２２へ至る間にスキャナ部３０の所定の画像読取位置を経由するように形成されている。
【００２８】
ＡＤＦ２０は、原稿載置トレイ２１に載置された原稿を、画像読取位置を経由するように搬送して原稿排出トレイ２２へ排出する。スキャナ部３０は、画像読取位置を搬送される原稿の画像読取処理を行って画像データを生成する。原稿載置トレイ２１は原稿載置部を構成し、原稿排出トレイ２２は原稿排出部を構成している。
【００２９】
画像形成部５０は、画像データに基づいて用紙に画像形成処理を行う。用紙はシートの一例である。用紙として、普通紙、厚紙、ＯＨＰフィルム等のシート状の記録媒体が挙げられる。一例として、画像形成部５０は、画像読取部４０の下に配置され、所謂胴内排出型を呈し、画像読取部４０との間に画像形成処理済みの用紙を収容する用紙排出トレイ７０を設けるための空間を有するように構成されている。
【００３０】
給紙部６０は、定形サイズの用紙が収容される給紙トレイ６１、不定形サイズの用紙が載置される手差しトレイ６２、及び用紙搬送路６３を有している。給紙部６０は、給紙トレイ６１又は手差しトレイ６２のいずれかの選択されたトレイから１枚ずつ用紙を画像形成部５０へ供給する。給紙トレイ６１及び手差しトレイ６２は、それぞれシート収容部を構成している。
【００３１】
給紙部６０から供給されて画像形成部５０で画像形成処理された用紙は、用紙排出トレイ７０へ排出される。用紙排出トレイ７０は、シート排出部を構成している。
【００３２】
図２（Ａ）及び図２（Ｂ）に示すように、画像形成装置１０は、用紙排出トレイ７０に操作部８０を備えている。操作部８０は、画像形成部５０の制御に関する情報を表示する表示部８１（図５参照）、及び画像形成部５０の制御に関する情報の入力操作を受け付ける入力操作部８２を含む。
【００３３】
操作部８０は、少なくとも一部が用紙排出トレイ７０の用紙排出領域７１内に位置するホーム位置と、用紙排出領域７１内から退避した退避位置との間で移動自在に構成されている。図２（Ａ）及び図２（Ｂ）では、操作部８０がホーム位置にある状態を実線で示し、操作部８０が退避位置へ移動した状態を２点鎖線で示している。操作部８０は、通常時はホーム位置に配置され、用紙排出トレイ７０へ排出される用紙のサイズに応じて退避位置へ移動させられる。用紙排出領域７１はシート排出領域に相当する。
【００３４】
この実施形態では、操作部８０は、ホーム位置では、用紙排出トレイ７０の上面の一部を形成する平置姿勢を呈し、退避位置では、用紙排出トレイ７０の上面に対して起立した起立姿勢を呈する。操作部８０は、平置姿勢における画像形成装置１０の正面側の端部に左右方向に延びる回転軸を有し、この回転軸を中心にして回動する。
【００３５】
図３に示すように、画像形成装置１０は、制御部９０、原稿サイズ検出部２４、用紙サイズ検出部５１、駆動源８３、及び入出力部９１をさらに備えている。
【００３６】
原稿サイズ検出部２４は、原稿載置トレイ２１に載置された原稿のサイズを検出し、検出結果を制御部９０へ出力する。互いにサイズの異なる複数の原稿が原稿載置トレイ２１に載置された場合は、原稿サイズ検出部２４は、最大サイズの原稿のサイズを検出し、検出結果を制御部９０へ出力する。
【００３７】
用紙サイズ検出部５１は、給紙トレイ６１に収容された用紙のサイズを検出し、検出結果を制御部９０へ出力する。
【００３８】
一例として、制御部９０は、スキャナ部３０が生成した画像データに基づいて画像形成部５０が用紙に画像形成処理する複写モードの実行時に、原稿のサイズに対する画像を形成する用紙のサイズの変倍率及び原稿サイズ検出部２４の検出結果に基づいて、給紙部６０から給紙すべき用紙のサイズを判定する。制御部９０は、給紙トレイ６１又は手差しトレイ６２に、給紙すべきサイズの用紙がある場合はそのトレイから用紙を給紙し、給紙すべきサイズの用紙がいずれのトレイにも無い場合はその旨を操作部８０に表示する。
【００３９】
表示部８１は、液晶表示部及びタッチセンサ部を含む表示入力装置で構成され、液晶表示部に情報を視覚的に表示するとともに、ユーザによるタッチ操作をタッチセンサ部によって検出してユーザによる入力情報を制御部９０へ出力する。入力操作部８２は、各種のキーボタンやスイッチを含み、ユーザによる入力操作を受け付け、入力情報を制御部９０へ出力する。
【００４０】
駆動源８３は、操作部８０を、ホーム位置と退避位置との間で移動させる。駆動源８３の具体例として、ステッピングモータ、又はソレノイドが挙げられる。
【００４１】
制御部９０は、入出力部９１を通じて、ＵＳＢ接続又はＬＡＮ接続等によって接続された外部機器との間で、データのやりとりを行う。例えば、入出力部９１には、外部機器から画像形成指示データが入力する。画像形成指示データは、画像データ、及び画像形成すべき用紙のサイズを指定する用紙サイズ指定データを含む。制御部９０は、入力した用紙サイズ指定データに基づいて選択した用紙を給紙部６０から画像形成部５０へ搬送し、画像形成部５０において用紙に画像形成処理を行った後、用紙を用紙排出トレイ７０へ排出する。
【００４２】
次に、制御部９０の処理手順の一例について説明する。
【００４３】
図４に示すように、制御部９０は、画像形成処理の開始指示が入力すると（Ｓ１）、用紙排出トレイ７０へ排出される用紙のサイズが、予め設定された所定の閾値サイズ以上であるか否かを判定する（Ｓ２）。例えば、閾値サイズとして、Ａ３サイズが設定される。
【００４４】
用紙排出トレイ７０へ排出される用紙のサイズの判定方法の一例として、次の構成が挙げられる。即ち、制御部９０は、給紙トレイ６１に収容された用紙のサイズを検出する用紙サイズ検出部５１の検出結果に基づいて用紙排出トレイ７０へ排出される用紙のサイズを判定する。
【００４５】
図５に示すように、制御部９０は、用紙排出トレイ７０へ排出される用紙Ｐ１のサイズが閾値サイズ以上であると判定した場合は、操作部８０をホーム位置から退避位置へ移動させる（Ｓ３）。
【００４６】
図６に示すように、制御部９０は、用紙排出トレイ７０へ排出される用紙Ｐ２のサイズが閾値サイズ未満であると判定した場合は、用紙排出トレイ７０を退避位置へ移動させることなく、ホーム位置に留め置く。
【００４７】
制御部９０は、給紙トレイ６１から画像形成部５０へ用紙を搬送して画像形成処理を実行し（Ｓ４）、画像形成処理済みの用紙を用紙排出トレイ７０へ排出する。制御部９０は、画像形成処理が終了すると（Ｓ５）、用紙排出トレイ７０に用紙があるか否かを図示しない用紙排出トレイセンサによって検出する（Ｓ６）。
【００４８】
制御部９０は、用紙排出トレイ７０に用紙がある場合は、用紙排出トレイ７０から用紙を回収する旨の警告を操作部８０に表示させる（Ｓ７）。
【００４９】
制御部９０は、用紙排出トレイ７０上に用紙が無くなると、操作部８０がホーム位置にあるか否かを判定し（Ｓ８）、操作部８０がホーム位置にある場合はＳ１の処理へ戻り、ホーム位置にない場合は操作部８０をホーム位置へ移動させ（Ｓ９）、操作部８０がホーム位置にあることを確認した上でＳ１の処理へ戻る。
【００５０】
画像形成装置１０によれば、用紙排出トレイ７０へ用紙が排出されないとき、及びホーム位置に配置された操作部８０と衝突及び重複しないサイズの用紙が用紙排出トレイ７０へ排出されるときには、操作部８０をホーム位置に配置することで、操作部８０の少なくとも一部が用紙排出トレイ７０の用紙排出領域７１内に位置するので、画像形成装置１０全体の小型化を図ることができる。一方、ホーム位置に配置された操作部８０と衝突又は重複しそうなサイズの用紙が用紙排出トレイ７０へ排出されるときには、操作部８０を退避位置へ移動させることで、操作部８０と用紙との衝突及び用紙によって操作部８０が覆われることが防止される。このため、用紙排出トレイ７０へ用紙を円滑に排出できるとともに、操作部８０の視認性及び操作性の低下を防止できる。
【００５１】
したがって、画像形成装置１０全体の小型化を図りつつ操作部８０の視認性及び操作性の低下を防止することができる。
【００５２】
また、操作部８０がホーム位置において平置姿勢を呈することで上方からの視認性が向上する。また、操作部８０がホーム位置に配置されたままの状態で用紙排出トレイ７０へ用紙が排出された場合でも用紙の搬送不良が防止される。一方、操作部８０が退避位置へ移動した際に起立姿勢を呈することで、装置本体からの突出量を抑えながら操作部８０を用紙排出領域７１内から退避させることができる。
【００５３】
さらに、給紙トレイ６１に収容された用紙のサイズの検出結果に基づいて、画像形成部５０による画像形成処理の実行前に、操作部８０をホーム位置又は退避位置へ移動させることができる。このため、駆動源８３として駆動速度が低いものを用いた場合でも、用紙排出トレイ７０へ用紙が排出される前に操作部８０の移動を完了させることができる。したがって、操作部８０と用紙との衝突及び重複並びに操作部８０の視認性及び操作性の低下を、より確実に防止することができる。
【００５４】
なお、手差しトレイ６２にも用紙サイズ検出部５１を設け、手差しトレイ６２に収容された用紙のサイズを検出して検出結果を制御部９０へ出力するように構成し、手差しトレイ６２に収容された用紙のサイズの検出結果に基づいて、画像形成部５０による画像形成処理の実行前に、操作部８０を移動させるようにすることもできる。
【００５５】
また、用紙排出トレイ７０へ排出される用紙のサイズの判定方法の変形例として、次のような構成が挙げられる。
【００５６】
第１変形例では、制御部９０は、スキャナ部３０が生成した画像データに基づいて画像形成部５０が用紙に画像形成処理する複写モードの実行時に、原稿のサイズに対する画像を形成する用紙のサイズの倍率である変倍率、及びスキャナ部３０が生成した画像データに基づいて、用紙排出トレイ７０へ排出される用紙のサイズを判定する。
【００５７】
これによって、変倍率及び画像データのサイズに基づいて、画像形成部５０による画像形成処理の実行前に、操作部８０をホーム位置又は退避位置へ移動させることができる。このため、駆動源８３として駆動速度が低いものを用いた場合でも、用紙排出トレイ７０へ用紙が排出される前に操作部８０の移動を完了させることができる。したがって、操作部８０と用紙との衝突及び重複並びに操作部８０の視認性及び操作性の低下を、より確実に防止することができる。
【００５８】
第２変形例では、制御部９０は、スキャナ部３０が生成した画像データに基づいて画像形成部５０が用紙に画像形成処理する複写モードの実行時に、原稿のサイズに対する画像を形成するシートのサイズの変倍率、及び原稿サイズ検出部２４の検出結果に基づいて、用紙排出トレイ７０へ排出される用紙のサイズを判定する。
【００５９】
これによって、変倍率及び原稿のサイズの検出結果に基づいて、画像形成部５０による画像形成処理の実行前に、操作部８０をホーム位置又は退避位置へ移動させることができる。
【００６０】
第３変形例では、制御部９０は、外部機器から入力した画像形成指示データに基づいて画像形成部５０が用紙に画像形成処理するプリントモードの実行時に、画像形成指示データに基づいて用紙排出トレイ７０へ排出される用紙のサイズを判定する。
【００６１】
画像形成処理する用紙のサイズを指定する情報を画像形成指示データが含んでいるので、画像形成指示データに基づいて、操作部８０をホーム位置又は退避位置へ移動させることができる。画像形成指示データに基づいて、画像形成処理の実行前に、操作部８０を移動させることができる。
【００６２】
この発明は、画像読取部４０によって構成された画像読取装置に適用することもできる。この実施形態では、画像読取装置はシート処理装置の他の一例である。
【００６３】
操作部８０は、原稿排出トレイ２２に備えられ、少なくとも一部が原稿排出トレイ２２の原稿排出領域内に位置するホーム位置と、原稿排出領域内から退避した退避位置との間で移動自在に構成される。原稿載置トレイ２１はシート収容部を構成し、原稿排出トレイ２２はシート排出部を構成する。原稿排出領域は、シート排出領域に相当する。スキャナ部３０は処理部を構成する。操作部８０は、通常時はホーム位置に配置され、原稿排出トレイ２２へ排出される原稿のサイズに応じて退避位置へ移動する。原稿はシートの他の一例である。
【００６４】
図７に示すように、制御部９０は、画像読取処理の開始指示が入力すると（Ｓ１１）、原稿排出トレイ２２へ排出される原稿のサイズが、予め設定された所定の閾値サイズ以上であるか否かを判定する（Ｓ１２）。
【００６５】
原稿排出トレイ２２へ排出される原稿のサイズの判定方法として、例えば次の構成が挙げられる。即ち、制御部９０は、原稿載置トレイ２１に載置された原稿のサイズを検出する原稿サイズ検出部２４の検出結果に基づいて原稿排出トレイ２２へ排出される原稿のサイズを判定する。
【００６６】
制御部９０は、原稿排出トレイ２２へ排出される原稿のサイズが閾値サイズ以上であると判定した場合は、操作部８０をホーム位置から退避位置へ移動させる（Ｓ１３）。
【００６７】
制御部９０は、原稿排出トレイ２２へ排出される原稿のサイズが閾値サイズ未満であると判定した場合は、原稿排出トレイ２２を退避位置へ移動させることなく、ホーム位置に留め置く。
【００６８】
制御部９０は、原稿載置トレイ２１から原稿を搬送して画像読取処理を実行し（Ｓ１４）、画像読取処理済みの原稿を原稿排出トレイ２２へ排出する。制御部９０は、画像読取処理が終了すると（Ｓ１５）、原稿排出トレイ２２に用紙があるか否かを図示しない原稿排出トレイセンサによって検出する（Ｓ１６）。
【００６９】
制御部９０は、原稿排出トレイ２２に用紙がある場合は、原稿排出トレイ２２から用紙を回収する旨の警告を操作部８０に表示させる（Ｓ１７）。
【００７０】
制御部９０は、原稿排出トレイ２２上に用紙が無くなると、操作部８０がホーム位置にあるか否かを判定し（Ｓ１８）、操作部８０がホーム位置にある場合はＳ１１の処理へ戻り、ホーム位置にない場合は操作部８０をホーム位置へ移動させ（Ｓ１９）、操作部８０がホーム位置にあることを確認した上でＳ１１の処理へ戻る。
【００７１】
ＡＤＦ２０によれば、原稿排出トレイ２２へ原稿が排出されないとき、及びホーム位置に配置された操作部８０と衝突及び重複しないサイズの原稿が原稿排出トレイ２２へ排出されるときには、操作部８０をホーム位置に配置することで、操作部８０の少なくとも一部が原稿排出トレイ２２の原稿排出領域内に位置するので、画像読取装置全体の小型化を図ることができる。一方、ホーム位置に配置された操作部８０と衝突又は重複しそうなサイズの原稿が原稿排出トレイ２２へ排出されるときには、操作部８０を退避位置へ移動させることで、操作部８０と用紙との衝突及び用紙によって操作部８０が覆われることが防止される。このため、原稿排出トレイ２２へ原稿を円滑に排出できるとともに、操作部８０の視認性及び操作性の低下を防止できる。したがって、画像読取装置全体の小型化を図りつつ操作部８０の視認性及び操作性の低下を防止することができる。
【００７２】
また、この発明は、ＡＤＦ（自動原稿搬送装置）２０に適用することもできる。この実施形態では、ＡＤＦ２０はシート処理装置の他の一例である。この実施形態では、画像読取位置を経由するように原稿を搬送する図示しない搬送機構部が処理部を構成する。ＡＤＦ２０によれば、ＡＤＦ２０全体の小型化を図りつつ操作部８０の視認性及び操作性の低下を防止することができる。
【００７３】
なお、操作部８０は、表示部８１及び入力操作部８２の両方を含むことに限定されず、表示部８１が表示入力装置で構成された場合は表示部８１を含み入力操作部８２を含まない構成においても、同様に装置全体の小型化を図りつつ操作部８０の視認性及び操作性の低下を防止できるという効果を奏することができる。
【００７４】
また、操作部８０の移動は、一方の端部を軸として回動することに限定されず、スライド移動するように構成することもできる。
【００７５】
上述の実施形態の説明は、すべての点で例示であって、制限的なものではないと考えられるべきである。本発明の範囲は、上述の実施形態ではなく、特許請求の範囲によって示される。さらに、本発明の範囲には、特許請求の範囲と均等の意味および範囲内でのすべての変更が含まれることが意図される。
【符号の説明】
【００７６】
１０  画像形成装置（シート処理装置）
２０  ＡＤＦ（自動原稿搬送装置）
２１  原稿載置トレイ
２２  原稿排出トレイ
２４  原稿サイズ検出部
３０  スキャナ部
４０  画像読取部
５０  画像形成部
５１  用紙サイズ検出部（シートサイズ検出部）
６０  給紙部
６１  給紙トレイ（シート収容部）
６２  手差しトレイ
７０  用紙排出トレイ（シート排出部）
７１  用紙排出領域（シート排出領域）
８０  操作部
８１  表示部
８２  入力操作部
８３  駆動源
９０  制御部
【図１】
2014002227.tif 000003
【図２】
2014002227.tif 000004
【図３】
2014002227.tif 000005
【図４】
2014002227.tif 000006
【図５】
2014002227.tif 000007
【図６】
2014002227.tif 000008
【図７】
2014002227.tif 000009